(57)【要約】【課題】香料選択の自由度を高めることができる芳香具を提供すること。また、形状及びサイズの自由度を高めることで、多くの用途に適用可能な芳香具を提供すること。【解決手段】  本発明にかかる芳香具は、香料と；前記香料を含浸した芯部材と；前記香料を透過させる材質からなり、前記香料を含浸した状態の前記芯部材を収容する容器とを備える。  本発明によれば、芯部材に香料を含浸させているため、芯部材の材質、厚み、表面積等を変えることによって、香料の使用量を容易に調整することができ、溶剤等で希釈する必要がない。また、芯部材を硬質な紙（厚紙）や木材等にすることによって、芳香具全体としての形状、姿勢が安定し、芯部材の材質及び形状、サイズを調整することで、芳香具の外観形状を自由に変更可能となる。【選択図】図１
2016165386.tif 000002
【特許請求の範囲】
【請求項１】
香料と；
前記香料を含浸した芯部材と；
前記香料を透過させる材質からなり、前記香料を含浸した状態の前記芯部材を収容する容器とを備えたことを特徴とする芳香具。
【請求項２】
前記芯部材は紙、布、木材の何れか１つ又は２つ以上の組み合わせから形成されることを特徴とする請求項１に記載の芳香具。
【請求項３】
前記容器は、ＥＶＡ（エチレン酢酸ビニル共重合体）シートからなる密閉容器であることを特徴とする請求項１又は２に記載の芳香具。
【請求項４】
前記容器は、シリコンゴムシートからなる密閉容器であることを特徴とする請求項１又は２に記載の芳香具。
【請求項５】
前記芳香具は、宝飾品と組み合わせて使用されること特徴とする請求項１乃至４の何れか１項に記載の芳香具。
【請求項６】
前記芳香具は、エアコン、加湿器、扇風機、空気清浄機、掃除機、衣類乾燥機、ヘアドライヤーの何れかに組み込まれることを特徴とする請求項１乃至４の何れか一項に記載の芳香具。
【請求項７】
前記芳香具は、衣類用防虫剤と組み合わせて使用されることを特徴とする請求項１乃至４の何れか一項に記載の芳香具。
【請求項８】
前記芳香具は、ゴミ箱の中、トイレットペーパーの芯、水洗トイレタンクの中又は流路に配置して使用されることを特徴とする請求項１乃至４の何れか一項に記載の芳香具。
【請求項９】
前記芳香具は、建築材料と組み合わせて使用されることを特徴とする請求項１乃至４の何れか一項に記載の芳香具。
【請求項１０】
前記芳香具は、プール又は池の水中又は水面に配置して使用されることを特徴とする請求項１乃至４の何れか一項に記載の芳香具。
【請求項１１】
前記芳香具は、虫除け又は、動物除けとして使用されることを特徴とする請求項１乃至４の何れか一項に記載の芳香具。
【請求項１２】
前記芳香具は、布団、ベッド又は、ソファーに対して配置されることを特徴とする請求項１乃至４の何れか一項に記載の芳香具。
【発明の詳細な説明】
【技術分野】
【０００１】
本発明は、香料透過性容器を用いた芳香具に関する。
【背景技術】
【０００２】
従来の芳香具としては、揮散した香料を透過させる性質を持った香料透過性フィルムを用いたものが知られている（特許文献１）。香料透過性フィルムは、液状の香料を透過しない。このような芳香具では、香料の揮散に伴って、香料透過性フィルムの内部が陰圧になり、芳香具自体が変形してしまうという問題があった。
【０００３】
上記のような問題を解決すべく特許文献２に示す発明が提案された。当該発明においては、香料を水で希釈したり、容器の厚みを調整したりすることによって、芳香具の外観形状を安定に維持し、香料の残存量を容易に確認可能としている。しかしながら、特許文献２等に開示された芳香具では、薄いフィルムで容器が形成されているため外観形状の自由度が低く、また、面積及び体積をあまり大きくできなかった。また、香料を希釈する必要があり、香料の選択に制限がある他、用途が限定されてしまうという問題があった。
【先行技術文献】
【特許文献】
【０００４】
【特許文献１】特開平６−２１９４７９号公報
【特許文献２】特開２００８−８７８１６号公報
【発明の概要】
【発明が解決しようとする課題】
【０００５】
本発明は上記のような問題点に鑑みて成されたものであり、香料選択の自由度を高めることができる芳香具を提供することを目的とする。
本発明の他の目的は、形状及びサイズの自由度を高めることで、多くの用途に適用可能な芳香具を提供することにある。
【課題を解決するための手段】
【０００６】
上記課題を解決するために、本発明にかかる芳香具は、香料と；前記香料を含浸した芯部材と；前記香料を透過させる材質からなり、前記香料を含浸した状態の前記芯部材を収容する容器とを備える。
本発明によれば、芯部材に香料を含浸させているため、芯部材の材質、厚み、表面積等を変えることによって、香料の使用量を容易に調整することができ、溶剤等で希釈する必要がない。また、芯部材を硬質な紙（厚紙）や木材等にすることによって、芳香具全体としての形状、姿勢が安定し、芯部材の材質及び形状、サイズを調整することで、芳香具の外観形状を自由に変更可能となる。
【０００７】
本発明において、「香料透過性フィルム」とは、特許文献２に示された発明と同様に、香料を透過させることができ、且つ、香料が当該フィルムを透過する透過速度が、当該フィルムを透過した香料が揮散する揮散速度以下である材質のフィルムである。このような香料透過性フィルムについては、例えば、国際公開第98/23304号パンフレット、特開平6-219479号公報、米国特許第5,518,790号明細書等において開示されており、当該技術分野では公知である。当該香料透過性フィルムの構成素材については、ポリエチレン、ポリプロピレン、エチレン酢酸ビニル共重合体（ＥＶＡ）、エチレンエチルアクリレート、リニアローデンシティポリエチレン（LLDPE）、シリコン等が考えられる。この中で、コスト及び耐変質性を考慮すると、エチレン酢酸ビニル共重合体（ＥＶＡ）、又はシリコンが好ましい。
【０００８】
本発明において、「芯部材」は香料を含有・保持した状態で香料透過性フィルム内に収容されるものであり、液体の香料を含浸させる性質（吸水性、吸油性）を有する材質を選定することができる。コスト及び加工性の点から、紙、布、木材、フェルトの何れか１つ又は２つ以上の組み合わせを採用することが好ましい。また、外装のフィルムを通して見える意匠性を考え、和紙、素焼きの板や皮革（本革、合成皮革）等を使用することができる。形状の変化や手触りを考慮して、砂、粘土、寒天、ゲル、エラストマー、シリコン、毛糸、土等を使用することができる。その他、用途に応じて、不織布、フローライト、焼結金属等を使用することも可能である。
【０００９】
芯部材の形状は、用途に応じて平面板状、筒状、多面体等の種々の形状とすることができる。平面的な形状とすることで、比較的狭い隙間にも配置できるというメリットがある。また、立体的な形状とすることで、あらゆる方向（３６０°）に均一に香料を揮散させることが可能となる。芯部材への香料の含浸方法は、芯部材の材質や形状に応じて、塗布、塗装、浸漬、注入、充填等を適宜選択することが好ましい。
【００１０】
ＥＶＡシートは、耐水性に優れるが、耐油性には乏しい為、油系の香料を吸収し、緩やかに香りを揮散させる特性があり、芳香具の材料として適しているものと考えられる。ＥＶＡシートに香料を液体のまま封入すると、染み出しが激しく好ましくない。しかしながら、本発明においては、上述した液体香料を含浸し保持することが可能な材料を用いているため、ＥＶＡシートに移る香料の量（吸収した香料の量）が染み出すことがなくバランスがとれ、芳香具として良好な性能を発揮する。更に、
市販されているＥＶＡシートは、汎用性が高く、大小種々のサイズ及び厚さ又は、色やエンボス加工が施されているものを入手することが容易な点も好都合である。
【００１１】
シリコンを容器として使用した場合、成型によってあらゆる形状に容器を成形することができ、厚みについても部分的に不均一にすることも容易である。そのため、所望の意匠形状にすることができるというメリットの他、厚みを薄くした部分からは香料が多く揮散し、厚くした部分からは少なめに揮散するため、１つの芳香具としても部分的に香りの強弱をつけることができる。その結果、必要ない方向への香料の無駄な揮散を抑制でき、香料の使用量を必要最小限とすることができる。
【００１２】
ＥＶＡシートやシリコンシート等のシート形態の容器を使用した場合には、開閉可能なチャックを設けることで、香料を含浸した芯部材を容易に交換したり、香料を付け足したりすることが可能となる。
【発明の効果】
【００１３】
本発明によれば、香料選択の自由度を高めることができるという効果がある。また、形状及びサイズの自由度を高めることで、多くの用途に適用可能な芳香具を提供することが可能となる。
【図面の簡単な説明】
【００１４】
【図１】図１は、本発明の一実施例に係る芳香具の構造及び製造工程の一部を示す説明図である。
【図２】図２は、本発明の他の実施例に係る芳香具の構造及び製造工程の一部を示す説明図である。
【発明を実施するための形態】
【００１５】
（実施例１）
図１は、本発明の一実施例に係る芳香具２４の構造及び製造工程の一部を示す説明図である。本実施例に係る芳香具２４は、香料と；香料を含浸した芯部材１８と；香料を透過させる材質からなり、香料を含浸した状態の芯部材１８を収容する容器とを備える。芳香具２４の製造に際しては、図１（Ａ）に示すように、容器を構成する、例えば、長方形の香料透過性フィルム１２を２枚用意し、その３辺の縁を溶着（１４）して袋状とし、第１の中間製品１６を成形する。次に、（Ｂ）に示すように、香料を含浸した芯部材１８を第１の中間製品１６に挿入し、第２の中間製品２０を成形する（Ｃ）。最後に、（Ｄ）に示すように、第２の中間製品２０の上縁の部分を溶着（２２）して、容器を封止して本実施例に係る芳香具２４を完成させる。
【００１６】
本発明によれば、芯部材１８に香料を含浸させているため、芯部材１８の材質、厚み、表面積等を変えることによって、香料の使用量を容易に調整することができ、溶剤等で希釈する必要がない。また、芯部材１８を硬質な紙（厚紙）や木材等にすることによって、芳香具２４全体としての形状、姿勢が安定し、芯部材の材質及び形状、サイズを調整することで、芳香具２４の外観形状を自由に変更可能となる。
【００１７】
なお、芯部材１８への香料の含浸は、素の芯部材（香料を含浸していない）を容器の中に収容した後に行うこともできる。また、容器を構成する２枚の香料透過性フィルム（１２）によって素の芯部材１８を挟み、一部を残して周辺を封止した後に香料を容器内部に充填し、その後、当該箇所を封止して芳香具を完成させることもできる。なお、容器の封止方法は、フィルム１２の素材によって、熱による溶着（ウェルダー加工）、接着剤による接着等を適宜選択して採用する。以下の実施例２、３についても同様である。
【００１８】
（実施例２）
図２（Ａ）は、本発明の第２の実施例に係る芳香具３０の構造及び製造工程の一部を示す説明図である。本実施例に係る芳香具３０と、図１に示す芳香具２４との相違点は、容器の上縁に開閉可能なチャック３２を設けたことである。チャックを設けることによって、内部の芯部材１８を容易に交換することが可能となる。この場合、容器と芯部材１８とを別々に販売して、消費者（使用者）自身が自由に香料（芯部材１８）を選択して、使用することが可能となる。
【００１９】
（実施例３）
図２（Ｂ）は、本発明の第３の実施例に係る芳香具４８の構造及び製造工程の一部を示す説明図である。本実施例に係る芳香具４８と図１に示す芳香具２４との相違点は、香料を芯部材１８に含浸させる方法にある。本実施例においては、香料を含まない素の芯部材４４を容器４２に封止して中間製品４０を成形し、その後、容器に設けた小さな開口４２ａから香料を充填することで、芳香具４８を完成させる。
【００２０】
このような製法によれば、香料を含浸した芯部材４６を扱う必要が無く、製造工程が簡略化される。加えて、後から自由に芳香剤を充填できるため、消費者（使用者）自身が香料を選択して芳香具を作ることも可能となる。なお、開口４２ａは針穴のような小さな穴から注射針のような細いノズルを用いて充填することができ、その場合には開口４２ａを閉じずに使用することも可能である。しかし、香料の充填量等に応じて、通常は開口４２ａを閉じる。
【００２１】
以上、実施例１〜実施例３について説明したが、実施例１については原則として製造業者が予め工場で芳香具を製造するものであるのに対して、実施例２、３については、使用者による組み立ても可能な構造となっている。
【００２２】
本発明の芳香具に使用される香料組成物は、香料透過性フィルムを透過して揮散可能である物質であり、一般的に使用される溶剤は含まないものとする。そして、香料組成物に含まれる香料としては、特許文献２にも開示されているように、例えば、炭素数６〜１２のアルデヒド（例えば、ヘキシルアルデヒド、デシルアルデヒド等）、アニスアルデヒド、アセタールＲ、アセトフェノン、アセチルセドレン、アドキサール、アリルアミルグリコレート、アリルシクロヘキサンプロピオネート、アルファダマスコン、アンブレットリッド、アンブロキサン、アミルシンナミックアルデヒド、アミルシンナミックアルデヒドジメチルアセタール、アミルバレリアネート、アミルサリシレート、イソアミルアセテート、ブチルアセテート、エチルブチレート、アセチルユゲノール、イソアミルサリシレート、インドール、αイオノン、βイオノン、αメチルイオノン、βメチルイオノン、γメチルイオノン、インデン、エチルワニリン、オウランチオール、オークモスＮｏ.１、オリボン、オキシフェニロン、カリオフィレン、カシュメラン、カルボン、ガラキソリッド、キャロン、クマリン、パラクレジールメチルエーテル、ゲラニオール、ゲラニルアセテート、ゲラニルフォーメート、ゲラニルニトリル、テトラヒドロゲラニオール、テトラヒドロゲラニールアセテート、コアボン、サンダロア、サンデラ、サンタレックス、サンタリノール、メチルサリシレート、シンナミックアルコール、シンナミックアルデヒド、シスジャスモン、シートラール、シートラールジメチルアセタール、シートラサール、シートロネラール、シートロネロール、シートロネリルアセテート、シートロネリルフォーメート、シートロネリルニトリル、シクラセット、シクラメンアルデヒド、シクラプロップ、シンナミルアセテート、ジヒドロジャスモン、ジメトール、イソシクロシートラール、ジャスマール、ジャスモラクトン、ジャスモフィラン、スチラリールアセテート、スチラリールプロピオネート、セドロアンバー、セドリルアセテート、セドロール、セレストリッド、βダマスコン、ターピネオール（αターピネオール、γターピネオール）、ターピニルアセテート、チモール、デルタダマスコン、デルタＣ６〜Ｃ１３ラクトン、トナリッド、トラセオライド、トリプラール、イソノニルアセテート、ネロール、ネリールアセテート、ネオベルガメート、ノピールアセテート、ノピールアルコール、バクダノール、ヒヤシンスジメチルアセタール、ヒドロトロピックアルコール、ヒドロキシシートロネロール、ヒドロキシシートロネラール、αピネン、ブチルブチレート、パラターシャリーブチルシクロヘキサノール、パラターシャリーブチルシクロヘキシルアセテート、オルトターシャリーブチルシクロヘキサノール、ジフェニルオキサイド、フルイテート、フェンチールアルコール、フェニルエチルフェニルアセテート、イソブチルキノリン、フェニルエチルアルコール、フェニルエチルアセテート、フェニルアセトアルデハイドジメチルアセタール、ベンジルアセテート、ベンジルアルコール、ベンジルサリシレート、ベルガミールアセテート、ベンズアルデヒド、ベンジルフォーメート、ジメチルベンジルカービノール、ヘディオン、ヘリ��ナール、ヘリオトロピン、シス−３−ヘキセノール、シス−３−ヘキセニールアセテート、シス−３−ヘキセニールサリシレート、ヘキシルシンナミックアルデヒド、ヘキシルサリシレート、ペンタリッド、ベルドックス、オルトボルニルアセテート、イソボルニルアセテート、イソボルネオール、エンド−ボルネオール、マンザネート、マイヨール、ミューゲアルデヒド、ミラックアルデヒド、ジヒドロミルセノール、ジミルセトール、ムゴール、ムスクＴＭ−II、ムスク７８１、ムスクＣ１４、ムスクＴ、ムスクケトン、ムスクチベチン、ムスクモスケン、メンサニールアセテート、メンソネート、メチルアンスラニレート、メチルユゲノール、メントール、メチルフェニルアセテート、ユゲノール、イソユゲノール、メチルイソユゲノール、γＣ６〜１３ラクトン（例えば、γノナラクトン、γデカラクトン等）、ライムオキサイド、メチルラベンダーケトン、ジヒドロリナロール、リグストラール、リリアール、リモネン、リナロール、リナロールオキサイド、テトラヒドロリナロール、テトラヒドロリナリールアセテート、リナリルアセテート、リラール、ルバフラン、ローズフェノン、ローズオキサイド、ベンゾイン、ペルーバルサム、トルーバルサム、チュベローズ油、ムスクチンキ、カストリウムチンキ、シベットチンキ、アンバーグリスチンキ、ジヒドロターピニルアセテート、1,8-シネオール、7-アセチル-1,2,3,4,5,6,7,8,-オクタハイドロ-1,1,6,7-テトラメチルナフタレン、カンフル、4-アセトキシ-3-アミルテトラハイドロピラン、トリシクロデセニルアセテート、βナフチルメチルエステル、ベンゾフェノン、ベンジルベンゾエート、ジメチルヘプタノール、クミンアルデヒド、マイラックアルデヒド、クミンアルコール、メントン、チオメントン、シクロヘキシサリシレート、サンタリナアルコール、バニリン、エチルバニリン、ボルネオール、イソロンギフォラノン、バグダノール、3,7-ジメチル-7-メトキシオクタン-2-オール、2,4,6-トリメチル-2-フェニル-1,3-ジオキサン、4,6,6,7,8,8,-ヘキサメチル-1,3,4,6,7,8,ヘキサハイドロシクロペンタベンゾピラン、ジメチルベンジルアセテート、リリーアルデヒド、メチルジヒドロジャスモネート、ウンデカラクトンガンマ、ダマスコンアルファ、ｐ−ｔ−ブチルシクロヘキシルアセテート、シクロガルバナム、ネロール、テープニルアセテート、シスー３−ヘキサノール、シスー３−ヘキシルアセテート、1,4−シネオール、α-ターピネン、p-サイメン、cis-オシメン、リメトール、トランス-β-オシメン、ターピノレン、2-ペンチロキシグリコール酸アリル、2-n-ペンチルシクロペンタノン、ベンジルブチレート、エチルアセテート、カプロン酸エチル、イソアミルブチレート、ペパーミント油、ペリラ油、プチグレン油、パイン油、ローズ油、ローズマリー油、しょう脳油、芳油、クラリーセージ油、サンダルウッド油、スペアミント油、スパイクラベンダー油、スターアニス油、ラバンジン油、ラベンダー油、レモン油、レモングラス油、ライム油、ネロリ油、オークモス油、オコチア油、パチュリ油、タイム油、トンカ豆チンキ、テレピン油、ワニラ豆チンキ、バジル油、ナツメグ油、シトロネラ油、クローブ油、ボアドローズ油、カナンガ油、カルダモン油、カシア油、シダーウ��ド油、オレンジ油、マンダリン油、タンジェリン油、アニス油、ベイ油、コリアンダー油、エレミ油、ユーカリ油、フェンネル油、ガルバナム油、ゼラニウム油、ヒバ油、桧油、ジャスミン油、ベチバー油、ベルガモット油、イランイラン油、グレープフルーツ油、ゆず油等の香料成分を１種単独で又は２種以上を組み合わせて使用すればよい。これらの中でも、好ましくは、炭素数７〜１２のアルデヒド、ヘキサノール、イソアミルアセテート、ヘキシルアセテート、1,4−シネオール、α-ターピネン、p-サイメン、1,8シネオール、リモネン、cis-オシメン、リメトール、トランス-β-オシメン、ターピノレン、2-ペンチロキシグリコール酸アリル、2-n-ペンチルシクロペンタノン、ベンジルブチレート、ゲラニルアセテート、シクラメンアルデヒド、エチルブチレート、スチラリールアセテート、コアボン、パラ-ターシャリー-ブチルシクロヘキシルアセテート、リナロール、ベンジルアセテート、シートロネリルニトリル、エチルアセテート、シス-3−へキセノール、ベンズアルデヒド、カプロン酸エチル、シス-3-ヘキセニールアセテート、ベンジルアルコール、ジヒドロミルセノール、リナリルアセテート、イソアミルブチレート、ローズオキサイド、イソボルニルアセテート、オルト-ターシャリー-ブチルシクロヘキシルアセテートが挙げられる。これらの香料成分は、１種単独で使用してもよく、また２種以上を任意に組み合わせて使用してもよい。
【００２３】
本発明に使用される香料として、香料透過性フィルムに対する透過性を高めるという観点から、全香料成分総量あたりエステル系香料成分が１０〜１００重量％、更には、２０〜１００重量％程度含まれている香料を使用することが好ましい。また、優れた揮散性を得るという観点から、香料の総量当たり、蒸気圧が４Pa以上の香料成分を５〜１００重量％の割合で含むことが好ましい。
【００２４】
（実施形態１）
本発明に係る芳香具は、指輪、イヤリング、ネックレス等の宝飾品と組み合わせて使用可能である。例えば、ネックレスヘッドの裏側に本発明に係る芳香具を貼り付けて使用する。この場合、容器を小さくすることと、香りが強くなりすぎないような工夫が必要となる。
（１）容器：小さくする必要がある為、ＥＶＡシートを薄いものを使用することが好ましい。また、シート状ではなく、シリコン成型品を用い形状に自由度を持たせ、芯部材を収納するスペースを設ける事もできる。
（２）芯部材：意匠性が必要となる為、芯部材自体に印刷が可能な紙を使用する。
又は、小さく含浸性の良い物、例えばフェルトを使用することが好ましい。
（３）製造方法：袋状にしたＥＶＡシートの間に芯部材を挿入し、香料を充填し、ウェルダー加工で周縁部を閉じる。袋の形状は宝飾品として吊り下げ可能な形状にするなど工夫が必要となる。
（４）その他：ネックレスヘッドの裏等、他の宝飾具へ貼り付ける際は、香料の影響による接着剤の劣化を最小限に抑えるように接着剤を選定する必要がある。
【００２５】
（実施形態２）
本発明に係る芳香具は、エアコン、加湿器、扇風機、空気清浄機、掃除機、衣類乾燥機、ヘアドライヤーに組み込んで使用可能である。例えば、エアコンの吹き出し口付近に配置したり、空気清浄機の送風口付近に配置したりすることができる。ただし、温度、湿度への影響を考慮した工夫が必要となる。
（１）容器：ＥＶＡ自体は熱による軟化、変形があるので、高温の物に使用する際は、容器材質としてシリコンを選定することが好ましい。形状は、機械の送風路に配置する必要がある為、平状やパイプ状にするのが望ましい
（２）芯部材：絶えず換気状態になる送風路に設置する為、含浸性が非常に高いコースター紙（厚紙）やゲル状素材を選定するのが好ましい。
【００２６】
（実施形態３）
本発明に係る芳香具は、香料との組み合わせによって、屋外用虫除け、動物除けまた、屋内用の衣類用防虫剤として使用可能である。例えば、蚊やハエの虫除け、猫除け、玄関先やベランダ周辺などに設置したり、地中に埋めて使用することができる。そして、香料を適切に選択することで、防虫、防獣効果を発揮するように工夫することができる。
（１）容器：屋外に設置する場合は、紫外線吸収剤を材料に練り込むなど紫外線や風雨による劣化を考慮する必要がある。屋外に設置ができるよう吊り下げられるような形状にしたり、筒状に成形したりして、中に多量の芯材を挿入できるようにすることができる。
（２）香料：香料としては、シトロネラ、ユーカリ等が好ましい。
（３）芯部材：吊るすタイプには、紙を芯材として用いるのが好ましい。また、筒状の外形で体積（ボリューム）が必要となるものには、フェルト、布、フローライトなどを使用することができる。また、地中に埋める物などは、土や砂を芯部材として使用することができる。
【００２７】
（実施形態４）
本発明に係る芳香具は、お風呂場・湯船、洗面所、トイレなどの水回りの場所に設置し香りを楽しむ事が可能になる。例えば、子供が楽しくお風呂に入れる為の香りグッズで、壁に貼れる香り付きパズルや香り付きお風呂用絵本など、更には親もリラックス出来る時間となる。また、シャワーカーテンやトイレ便座の下に貼りつける芳香具として使用できる。
（１）容器：湯船の蓋に設置する場合、ある程度の硬さや収納性を考慮する必要があり、底側を香料透過にこだわらずＰＰやＡＢＳ等の固い材質を選定し、上面側をＥＶＡなどの香料透過層にし、さらにＥＶＡ自体で連結した蛇腹構造で巻き取り収納ができるようにすることができる。他に、ＥＶＡの特徴である防水性に優れている特長を用いて、湯船保温用の中蓋や、小型の短冊状にして、湯船に浮かばせる為の空気層を設けることができる。
（２）香料：浴室で使用するものは、湯船の温度が４０度前後であることから、香料の揮発温度を考慮して、急激に揮発しない物を選定することが好ましい。
（３）芯部材：紙など印刷などで意匠性を演出できる素材が好ましい。また、湯船保温用の中蓋などは、木材や厚紙など保温性に優れた素材を用いることが好ましい。
（４）製造方法：湯船の蓋材ほどの大きさの場合、湯船の幅に合わせ長尺状にした芳香具をウェルダー加工などの接着方法で連結することができる。
【００２８】
（実施形態５）
本発明に係る芳香具は、建築材料と組み合わせて使用可能である。例えば、壁面用パネル、天井パネルの一部に凹部を形成し、そこに本発明に係る芳香具を嵌め込んだり、長尺状に成形した芳香具を幅木、回り縁に沿って配置したりすることができる。部屋全体に香りを漂わすことが可能となる。特に、アミューズメントパークにおいては、アトラクションのテーマに応じて香りを変えることが好ましい。必ずしも、心地よい香りだけでなく、ジャングルをイメージした領域では動物の臭いなど、場面に応じた香り（におい）を醸し出すことができる。
（１）容器：形状は設置場所に応じて薄くしたり、細長くする。室内の建具等にマッチした模様、色、質感を変えることができる。容易に交換や香料を補充可能とする（詰め替え式）ために、例えば、袋状にしたＥＶＡシートの1辺にチャック機構を設けることができる。また、シリコン成型品の場合は、同材質又は気密に優れた他の材質で栓やキャップを設けることが好ましい。
（２）香料：部屋や空間に応じてリラックス効果のある香料、集中力が増す香料、場面によっては恐怖感を煽る香料等を適宜選択する。
（３）芯部材：設置場所・空間に応じて、柄、質感を考慮し適宜選定することができる。
（４）製造方法：詰め替え式の場合、補充する香料原液がＥＶＡやシリコンの外容器に直接触れないように芯材を筒状、袋状、くぼみを付けることが好ましい。
【００２９】
（実施形態６）
本発明に係る芳香具は、プール又は池の水中又は水面に配置して使用可能である。例えば、噴水広場のプール、アミューズメントパークの屋外プール又は池（人工川）、アミューズメントパークの屋内の池（人工川）の底面や壁面に敷き詰める他、水面に浮遊する水草やボートの底に取り付けることができる。アミューズメントパークにおいては、アトラクションのテーマに応じて香りを変えることが好ましい。必ずしも、心地よい香りだけでなく、アマゾンをイメージした領域では動物の臭いなど、場面に応じた香り（におい）を醸し出すことができる。
（１）容器：ある程度の硬さや収納性を考慮する必要があり、底側を香料透過にこだわらずＰＰやＡＢＳ等の固い材質を選定し、上面側をＥＶＡなどの香料透過層にし、さらにＥＶＡ自体で連結した蛇腹構造で巻き取り収納ができるようにすることができる。他に、ＥＶＡの特徴である防水性に優れている特長を用いて、池に浮かばせる為の空気層を設けることができる。
（２）香料：水温が高い場合には、香料の揮発温度など考慮して、急激に揮発しない物を選定する。
（３）芯部材：紙など印刷又はその他の方法で意匠性を演出できる素材が好ましい。
【００３０】
（実施形態７）
本発明に係る芳香具は、虫除け又は、動物除けとして使用可能である。例えば、猫除けや、ヤブ蚊除けのために家の周辺に配置することができる。
（１）容器：屋外に設置する場合は、紫外線吸収剤を材料に練り込むなど紫外線や風雨による劣化を考慮する必要がある。屋外に設置ができるよう吊り下げられるような形状にしたり、筒状に形状をつくり、中に多量の芯材を挿入できるようにすることができる。
（２）香料：シトロネラ、ユーカリ等が好ましい。
（３）芯部材：吊るすタイプには、紙を芯材として用いるのが好ましい。また、筒状の外形で体積（ボリューム）が必要となるものには、フェルト、布、フローライトなどを使用することができる。また、地中に埋める物などは、土や砂を芯部材として使用することができる。
【００３１】
（実施形態８）
本発明に係る芳香具は、布団、ベッド又は、ソファーに対して配置使用可能である。例えば、布団の下やベッドパッドの下に敷いたり、ソファーの下に敷いたりして使用する。
（１）容器：肌ざわりを良くするために薄く大面積にしたり、シート外側に布を張るなど、大小サイズ替えが容易にできるようにシート状にした芳香具の襠部分にボタンを設置するなど、容易に交換やサイズ変え可能とすることが好ましい。
（２）香料：寝室に配置する場合には、はリラックス効果の高い香料・香りの強度を適宜選択することが好ましい。
（３）芯部材：芳香具全体として柔軟性が要求されるため、芯部材も柔軟な素材として、例えば、ゲル材・フェルト・布・毛糸などを採用することが好ましい。また、小粒のフローライト粒を芯材として使用し、ビーズクッションのような質感にすることもできる。
（４）その他：シート外側などに何かを貼り付ける際の接着剤は香料による劣化が無いように精査することが好ましい。
【００３２】
以上、添付図面を参照しながら本発明の好適な実施例について説明したが、以上に述べた実施形態は、本発明の好ましい例であって、これ以外の実施態様も、各種の方法で実施または遂行できる。特に本願明細書中に限定される主旨の記載がない限り、この発明は、添付図面に示した詳細な部品の形状、大きさ、および構成配置等に制約されるものではない。また、本願明細書の中に用いられた表現および用語は、説明を目的としたもので、特に限定される主旨の記載がない限り、それに限定されるものではない。
【００３３】
したがって、当業者であれば、特許請求の範囲に記載された範疇内において、各種の変更例または修正例に想到し得ることは明らかであり、それらについても当然に本発明の技術的範囲に属するものと了解される。
【図１】
2016165386.tif 000003
【図２】
2016165386.tif 000004